(57)【要約】【目的】  友釣り用のおとり鮎やエビ等の生き餌を釣り場に搬送したり、あるいは魚釣り後の魚を生きたまま搬送したりする際に、水温の上昇が原因で当該魚等が衰弱することが多々ある。そこで本発明は水槽内の海水・水の温度上昇を防止することが可能であり、しかも水質を維持することが可能な携帯型生け簀を提供することを目的とする。【構成】  本発明に係る携帯型生け簀は海水・水を蓄える水槽部と、該水槽部と連通した循環水路を内部に装備すると共に保冷材を収納可能な冷却ボックスと、水槽部と循環水路にわたり海水・水を循環させうるポンプと、循環水路に介在させる濾過装置とにより構成した。【選択図】        図１
2006230354.tif 000002
【特許請求の範囲】
【請求項１】
海水・水を蓄える水槽部と、該水槽部と連通した循環水路を内部に装備すると共に保冷材を収納可能な冷却ボックスと、水槽部と循環水路にわたり海水・水を循環させうるポンプと、上記各部材を内部に収納可能な外容器と、により成る携帯型生け簀。
【請求項２】
外容器及び冷却ボックスに開閉部を設けることで外容器外部より保冷材を出し入れ自在なものとしたことを特徴とする請求項１記載の携帯型生け簀。
【請求項３】
海水・水を蓄える水槽部を有する箱状体であり、該水槽部と連通した循環水路を内部に装備すると共に保冷材を収納可能な冷却ボックスと、水槽部と循環水路にわたり海水・水を循環させうるポンプとを装備した携帯型生け簀。
【請求項４】
循環水路に濾過装置を介在させたことを特徴とする請求項１乃至３いずれかに記載の携帯型生け簀。
【発明の詳細な説明】
【技術分野】
【０００１】
本発明は携帯型生け簀、より詳しくは容器本体内に収容した液体の温度上昇により、運搬中の魚や生き餌などが衰弱したり死滅したりすることを可及的に防止しうる携帯型生け簀に関する。    
【背景技術】
【０００２】
従来の携帯型生け簀は上部に開閉自在な蓋部を有する箱状体あるいは筒状体であり、必要に応じて断熱材を介在させ、生け簀内の温度上昇を防止するように構成されていた。
【０００３】
又、携帯型生け簀に関する特許文献として特開２００３−１０２３２３号公報がある。同公報記載の携帯型生け簀は、蓄冷材収納室で冷却されたエアを生け簀内に噴射することで、生け簀内の海水・水の温度上昇を防止するものである。
【特許文献１】特開２００３−１０２３２３号公報
【発明の開示】
【発明が解決しようとする課題】
【０００４】
友釣り用のおとり鮎やエビ等の生き餌を釣り場に搬送したり、あるいは魚釣り後の魚を生きたまま搬送したりする際に、エアレーションしながら搬送したとしても水温の上昇が原因で当該魚等が衰弱したりあるいは死んでしまうことが多々ある。
【０００５】
そこで本発明は水槽内の海水・水の温度上昇を防止することが可能であり、しかも水質を維持することが可能な携帯型生け簀を提供することを目的とする。
【課題を解決するための手段】
【０００６】
上記課題を解決するために請求項１記載の携帯型生け簀は海水・水を蓄える水槽部と、該水槽部と連通した循環水路を内部に装備すると共に保冷材を収納可能な冷却ボックスと、水槽部と循環水路にわたり海水・水を循環させうるポンプと、上記各部材を内部に収納可能な外容器とにより構成した。
【０００７】
又請求項２記載の携帯型生け簀は、外容器及び冷却ボックスに開閉部を設けることで外容器外部より保冷材を出し入れ自在なものとした。
【０００８】
請求項３記載の携帯型生け簀は、海水・水を蓄える水槽部を有する箱状体である。そして該箱状体は、水槽部と連通した循環水路を内部に装備すると共に保冷材を収納可能な冷却ボックスと、水槽部と循環水路にわたり海水・水を循環させうるポンプとを装備したものである。
【０００９】
更に請求項４記載の携帯型生け簀は、請求項１乃至３記載の発明における循環水路に濾過装置を介在させた。
【発明の効果】
【００１０】
請求項１及び３記載の携帯型生け簀は、海水あるいは水を蓄えた水槽部に生きた魚等を入れ搬送するものである。そしてポンプの働きにより該水槽部と連通した循環水路を通って、海水あるいは水が循環する構造となっている。この循環水路は保冷材を収納した冷却ボックス内にも敷設されており、当該冷却ボックス内の循環水路を通過するときに海水・水が冷却される。かようにして冷却された海水・水が水槽内に環流されることで水槽内の水温の上昇が防止できるのである。
【００１１】
請求項２記載の携帯型生け簀においては、外容器外部から冷却ボックス内の保冷材を容易に出し入れでき、使い勝手に富むものとなるのである。
【００１２】
又、請求項４記載の携帯型生け簀においては循環水路に濾過装置を介在させてあることから、循環水路内を流れる海水・水に含まれる浮遊懸濁物質が除去されることになる。かようにして水槽部内の海水・水の水質を維持することが可能となるのである。
【発明を実施するための最良の形態】
【００１３】
一、  以下、好ましい発明の実施形態につき図面を参照しながら述べる。
【００１４】
図１は第一実施例の構成を示す斜視図であり、図２は第二実施例の斜視図である。
【００１５】
二、  第一実施例は請求項１，２及び４記載の携帯型生け簀を実施したものを示している。水不透過性の合成繊維あるいは合成樹脂で形成された円筒形の水槽部１は、その内部に海水あるいは水を入れることが可能なものである。この水槽部１は上面に開閉自在な蓋部１ａを有し、蓋部を閉じた際には内部の水が漏れないように水密的に閉塞されるものである。
【００１６】
図１においては蓋部１ａはファスナによって閉塞される態様を示しているが、むろん係る限定を受けるものではなく、蓋部１ａを樹脂板で形成しパッキンとロック装置によって水密的に閉塞するといった態様も考えられる。
【００１７】
冷却ボックス３は発泡樹脂等の断熱材で形成された箱状体であり、その内部に循環水路２ａが敷設されている。図１においては内部を示すことが可能なように、冷却ボックス３の上面を破断した状態を示してある。
【００１８】
冷却ボックス３内で海水・水を効率的に冷却するため、循環水路２ａは図１に示すように蛇行した形態その他冷却ボックス３内で長距離にわたり敷設可能な形態で取り付けることが好ましい。又循環水路２ａは効率的に冷却を行えるように、アルミパイプで形成することが好ましい。但し係る限定を受けるものではなく、合成樹脂で形成しても構わない。
【００１９】
水槽部１と冷却ボックス３とはポンプ４，濾過装置５を介在させたうえで循環水路２により連通されている。ポンプ４は電池、バッテリー等でモーターを回転させその動力により作動されるものである。ポンプ４により水槽部１と冷却ボックス１間を海水・水が循環するものである。
【００２０】
濾過装置５内には浮遊懸濁物質を除去することが可能な濾過材が装備されている。具体的には通水性の繊維布、織布、フィルター等が使用可能である。
【００２１】
外容器６はその内部に水槽部１，冷却ボックス３，ポンプ４及び濾過装置５を収納可能な形態に設けられている。外容器６の側壁には開閉部６ａが設けられている。図中ファスナによって開閉可能な形態に示されているが、係る限定を受けるわけではなく開閉自在な形態であれば任意のもので構わない。
【００２２】
この開閉部６ａは冷却ボックス３内に保冷材を出し入れするために設けるものである。つまり開閉部６ａを開け、次いで冷却ボックス３の開閉部３ａを開けることで外容器の外部から保冷材の出し入れを行うのである。ここに保冷材としては氷を使用することが考えられるが、一定温度に冷却された蓄熱材を使用しても構わない。
【００２３】
外容器６は水不透過性の合成樹脂や合成繊維で形成することが好ましい。形態的には図中においては円筒形状のものを示してあるが、係る限定を受けるものではなく水槽部１，外容器６共に箱状体で形成しても構わない。又持ち運びに便利なように外容器６の側面には手持ちバンド６ｂが取り付けられている。
【００２４】
三、  第二実施例は請求項３，請求項４記載の携帯型生け簀を実施したものである。
【００２５】
蓋付きの箱体７は水槽部８を有するものであり、蓋７ａを閉じることにより水密的に閉塞されるものである。箱体７は断熱性を有する合成樹脂で形成されるものである。断熱性を高めるために内部に発泡樹脂を充填しても構わない。又持ち運びに便利なように側面にはバンド１３が取り付けられている。
【００２６】
箱体７の側面には収納室７ｂが設けられている。該収納室７ｂには開閉自在な扉部７ｃが装備されるものである。収納室７ｂ内にはポンプ９，冷却ボックス１０及び濾過装置１１が装備されている。ポンプ９，冷却ボックス１０及び濾過装置１１の構造は第一実施例と同様なものである。そして水槽部８と連通した循環水路１２を通って、ポンプ９の働きにより海水・水は冷却ボックス１０内、濾過装置１１を通り循環・冷却されるものである。
【００２７】
四、  以上の第一実施例、第二実施例ともに図示されていないが、空気ポンプを装備させ水槽部内の海水・水にエアレーションする必要があることはむろんである。
【産業上の利用可能性】
【００２８】
小口の鮨屋・料理店で生け簀や水槽を備えることは、スペースや費用の点で困難であった。又、活魚を運送するには専用の設備を備えた活魚車が必要であった。而して本発明を使用すれば小口の鮨屋・料理店であっても活魚の運搬、保管が可能となり、上述の生け簀、水槽及び活け魚車の代替足りうるものとなるのである。
【図面の簡単な説明】
【００２９】
【図１】第一実施例の構成を示す斜視図。
【図２】第二実施例の斜視図。
【符号の説明】
【００３０】
１，８・・水槽部      ２，１２・・循環水路
３，１０・・冷却ボックス      ４，９・・ポンプ
５，１１・・濾過装置      ６・・外容器
【図１】
2006230354.tif 000003
【図２】
2006230354.tif 000004